(57)【特許請求の範囲】
【請求項１】
加湿器と、湿度を設定する湿度設定スイッチと、その設定湿度を表示する湿度設定表示器と、運転を制御する制御装置を備え、前記制御装置は冷房運転モード時に、前記湿度設定表示器に設定湿度を表示しないことを特徴とする空気調和機。
【請求項２】
加湿器と、湿度を設定する湿度設定スイッチと、その設定湿度を表示する湿度設定表示器と、運転を制御する制御装置を備え、前記制御装置は冷房運転モード時に前記加湿器の運転を禁止するとともに、前記湿度設定表示器に設定湿度を表示しないことを特徴とする空気調和機。
【発明の詳細な説明】
【０００１】
【産業上の利用分野】
本発明は、加湿器を組み込んだ空気調和機の表示装置に関し、特に湿度設定表示器に関するものである。
【０００２】
【従来の技術】
従来の、湿度設定表示器を備えた空気調和機の表示装置としては、特開平４−１２４５４３号公報に示されているものがある。
【０００３】
以下、図面を参照しながら上記従来の空気調和機の表示装置を説明する。
図５は従来の空気調和機の加湿器運転および、湿度の表示を示した構成ブロック図である。図５において１はリモコンのマイコン、２は湿度を設定する湿度設定スイッチ、３は設定された湿度を表示する湿度設定表示器である。
【０００４】
以上のように構成された空気調和機の表示装置について、以下その動作について説明する。
【０００５】
空気調和機が運転時、空調運転を開始するとともに、マイコン１は湿度設定スイッチ２により設定された湿度設定値を湿度設定表示器３に表示する。
【０００６】
【発明が解決しようとする課題】
しかしながら、上記の従来の構成では、空気調和機が冷房運転による自然除湿時にも、湿度設定表示器３に湿度設定スイッチ２により設定された湿度設定値を表示してしまい、除湿制御ができない場合にもかかわらず、除湿制御されているような錯覚を与えてしまうという課題があった。
【０００７】
本発明は上記課題を解決するため、空気調和機が加湿運転時のみ湿度設定値を表示する空気調和機を提供することを目的としたものである。
【０００８】
【課題を解決するための手段】
上記目的を達成するため、本発明の空気調和機は、加湿器と、湿度を設定する湿度設定スイッチと、その設定湿度を表示する湿度設定表示器と、運転を制御する制御装置を備え、前記制御装置は冷房運転モード時に、前記湿度設定表示器に設定湿度を表示しない構成となっている。
【００１０】
【作用】
本発明の空気調和機は、上記の構成で、冷房運転時加湿器の運転を禁止するとともに、湿度設定表示を行わず、除湿制御されているような錯覚を与えることがない。
【００１２】
【実施例】
以下、本発明による空気調和機の第１の実施例について、図面を参照しながら説明する。
【００１３】
図１は、本発明による空気調和機の第１の実施例の構成概略図、図２は同実施例の空気調和機の動作を示すブロック図である。
【００１４】
図１、図２において、４は空気調和機の室内機本体で内部に送風機４ａ、熱交換器４ｂ、加湿機５、湿度検知器６を具備している。７は室内機本体４を運転操作する操作装置で、内部に操作装置制御装置７ａ、加湿器５の運転を表示する加湿器運転表示器８、冷房，暖房，送風運転を設定する運転モードスイッチ９、運転モードを表示する運転モード表示器１０、室温を設定する室温設定スイッチ１１、室温設定値を表示する室温設定表示器１２、湿度を設定する湿度設定スイッチ１３、設定湿度を表示する湿度設定表示器１４を具備している。
【００１５】
操作装置制御装置７ａは、運転モードスイッチ９、室温を設定する室温設定スイッチ１１、湿度設定スイッチ１３の入力により、運転モード表示器１０、室温設定表示器１２、湿度設定表示器１４の表示を制御する。
【００１６】
１５は室内機制御装置であり、操作装置制御装置７ａとの間で信号の送受を行い、湿度検知器６により検知された湿度データを入力し、室内機本体４と加湿機５を運転制御するとともに、冷房運転時加湿器５の運転を禁止する。
【００１７】
以上のように構成された空気調和機について以下その動作を説明する。
空気調和機が運転時、運転モード表示器１０に運転モードスイッチ９によって設定された運転モードが表示されるとともに、空気調和機は、室温設定表示器１２に表示されている、室温設定スイッチ１１によって設定された室温設定値にもとづき制御される。
【００１８】
空気調和機が冷房運転時、室内機制御装置１５により加湿器５の運転は禁止されるとともに、運転モード表示器１０に冷房運転は表示されるが、湿度設定表示器１４には湿度設定値が表示されない。
【００１９】
空気調和機が暖房・送風運転時、室内機制御装置１５により加湿器５の運転は許可され、湿度設定表示器１４に湿度設定値が表示されるとともに、湿度検知器６の値が湿度設定スイッチ１３より設定された設定湿度になるよう、加湿器５の運転制御を行う。
【００２０】
以上のように本実施例の空気調和機は、冷房運転時に加湿器５の運転を禁止するとともに、湿度設定表示を行わず、除湿制御されているような錯覚を防止することができる。
【００２１】
次に、本発明による空気調和機の第２の実施例について、図面を参照しながら説明する。
【００２２】
図３は、本発明による空気調和機の第２の実施例の構成概略図、図４は同実施例の動作のブロック図である。
【００２３】
図３、図４において、４は空気調和機の室内機本体で内部に送風機４ａ、熱交換器４ｂ、加湿機５、湿度検知器６を具備している。１６は、外気温を検知する外気温検知器である。７は室内機本体４を運転操作する操作装置で、内部に操作装置制御装置７ａ、加湿器５の運転を表示する加湿器運転表示器８、冷房，暖房，送風運転を設定する運転モードスイッチ９、運転モードを表示する運転モード表示器１０、室温を設定する室温設定スイッチ１１、室温設定値を表示する室温設定表示器１２、湿度を設定する湿度設定スイッチ１３、設定湿度を表示する湿度設定表示器１４を具備している。
【００２４】
操作装置制御装置７ａは、運転モードスイッチ９、室温設定スイッチ１１、湿度設定スイッチ１３の入力により、運転モード表示器１０、室温設定表示器１２、湿度設定表示器１４の表示を制御する。
【００２５】
１７は室内機制御装置であり、操作装置制御装置７ａとの間で信号の送受を行い、湿度検知器６により検知された湿度データと、外気温検知器１６により検知された外気温データを入力し、室内機本体４と加湿器５を運転制御するとともに、外気温が所定値を越えた場合加湿器５の運転を禁止する。
【００２６】
以上のように構成された空気調和機について以下その動作を説明する。
空気調和機が運転時、運転モード表示器１０に運転モードスイッチ９によって設定された運転モードが表示されるとともに、空気調和機は、室温設定表示器１２に表示されている、室温設定スイッチ１１によって設定された室温設定値にもとづき制御される。
【００２７】
空気調和機が冷房運転時の場合、外気温が所定値を越えたとき、室内機制御装置１７により加湿器５の運転は禁止されるとともに、運転モード表示器６に冷房運転は表示されるが、湿度設定表示器１４には湿度設定値が表示されない。
【００２８】
また、外気温が所定値以下のとき、室内機制御装置１７により加湿器５の運転は許可され、湿度設定表示器１４に湿度設定値が表示されるとともに、湿度検知器６の値が湿度設定スイッチ１３より設定された設定湿度になるよう、加湿器５の運転制御を行う。
【００２９】
空気調和機が暖房・送風運転の場合も同様である。
以上のように本実施例の空気調和機は、外気温が所定値を越えた場合、加湿器５の運転を禁止するとともに、湿度設定表示を行わず、除湿制御されているような錯覚を防止することができる。
【００３０】
【発明の効果】
以上説明したように本発明の空気調和機によれば、冷房運転のとき、湿度設定表示器に設定湿度を表示しないことにより、除湿制御されているような錯覚を防止するという効果がある。
【図面の簡単な説明】
【図１】本発明による空気調和機の第１の実施例の構成概略図
【図２】同実施例の空気調和機のブロック図
【図３】本発明による空気調和機の第２の実施例の構成概略図
【図４】同実施例の空気調和機のブロック図
【図５】従来の空気調和機の構成ブロック図
【符号の説明】
４    室内機本体
５    加湿器
６    湿度検知器
７    操作装置
９    運転モードスイッチ
１３  湿度設定スイッチ
１４  湿度設定表示器
１５，１７  室内機制御装置
１６  外気温検知器
【図１】
0003577764.tif 000002
【図２】
0003577764.tif 000003
【図３】
0003577764.tif 000004
【図４】
0003577764.tif 000005
【図５】
0003577764.tif 000006